(57)【要約】【課題】  病理学的に変性した細胞の改良された診断のための自動化方法の提供。【解決手段】  細胞または組織サンプルの構成領域において、疾病に関連する遺伝子発現における変化を示す少なくとも２種の異なる分子マーカーを、抗体の組み合わせを使用し、そしてシグナル強度を認定する手段で、同時に染色することによるがん細胞の自動化可能な診断方法。【選択図】  なし【特許請求の範囲】
【請求項１】
細胞サンプルもしくは組織サンプルにおけるがん細胞およびそれらの前駆体の自動化可能な同定方法であって、以下の工程、
ａ）  各マーカー単独での検出が細胞サンプルもしくは組織サンプルにおけるがん細胞およびそれらの前駆体の存在の信頼できる指標とはならない、がんの少なくとも２種の分子マーカーを選択すること、
ｂ）  該細胞サンプルもしくは組織サンプルを、該少なくとも２種の分子マーカーと特異的に結合するシグナル試薬と接触させること、
ｃ）  該細胞サンプルの単一細胞中の或いは該組織サンプルの切片の構成領域中のマーカーからのシグナル強度を同時に検出すること、
ｄ）  検出された該シグナル強度を組み合わせおよび信認すること、および組み合わせられおよび信認されたシグナル強度と閾値を比較すること、
を含んでなり、
ここで閾値より上または下の組み合わせられおよび信認されたシグナル強度が、細胞サンプルもしくは組織サンプル中におけるがん細胞およびそれらの前駆体の存在を示す、
上記方法。
【請求項２】
シグナル強度を画像情報に自動的に処理し、連結された診断専門システムを用いてがんを検出することを、更に含んでなる請求項１記載の方法。
【請求項３】
シグナル試薬が発色または蛍光を生成する、請求項１記載の方法。
【請求項４】
少なくとも２種の分子マーカーが、
ｈｅｒ２／ｎｅｕとＫｉ６７、ｈｅｒ２／ｎｅｕとｐ５３、ｈｅｒ２／ｎｅｕとｂｃｌ−２、ｈｅｒ２／ｎｅｕとＭＮ、ｈｅｒ２／ｎｅｕとｍｄｍ−２、ｈｅｒ２／ｎｅｕとＥＧＦレセプター、ｂｃｌ−２とＫｉ６７、ｂｃｌ−２とＭＮ、ｂｃｌ−２とｍｄｍ−２、ｂｃｌ−２とＥＧＦレセプター、ｈｅｒ２／ｎｅｕとｂｃｌ−２、ｐ５３とｂｃｌ−２、ｐ５３とＭＮ、ｐ５３とｍｄｍ−２、ｐ５３とＥＧＦレセプター、ｐ１６とｐ５３、ｐ１６とＭＮ、ｐ１６とｍｄｍ−２、ｐ１６とＥＧＦレセプター、ｐ１６とＫｉ６７、ｐ１６とｈｅｒ２／ｎｅｕ、ｐ１６とｂｃｌ−２、ＭＮとｍｄｍ−２、ＭＮとＥＧＦレセプター、ｍｄｍ−２およびＥＧＦレセプター、
からなる群から選択される、請求項１記載の方法。
【請求項５】
サンプルが、乳腺、肺、頸部、結腸、皮膚、および前立腺の腫瘍から得られる、請求項１記載の方法。
【請求項６】
分子マーカーを検出するための試薬、補助剤、対照およびプロトコールを含んでなる、請求項１記載の方法を実行するための試験キット。
【請求項７】
少なくとも２種の分子マーカーが、ｈｅｒ２／ｎｅｕ、ｐ１６、ｐ５３、Ｋｉ６７、ＭＮ、ｍｄｍ−２、ｂｃｌ−２、およびＥＧＦレセプター、からなる群から選択される、請求項１記載の方法。
【請求項８】
工程ｃ）が、細胞中のマーカーからのシグナル強度を同時に検出することを含んでなる、請求項１記載の方法。
【請求項９】
工程ｃ）が、組織サンプルの切片の構成領域中のマーカーからのシグナル強度を同時に検出することを含んでなる、請求項１記載の方法。
【発明の詳細な説明】
【技術分野】
【０００１】
本発明は、がん細胞の診断方法に関する。
【背景技術】
【０００２】
がん疾患は、今なお、もっとも頻度の高い世界的な死亡原因の１つを構成している。がんおよび前がん段階の両早期認識および特異的検出に対する臨床上の要望が存在する。さらに、腫瘍のより詳細な特徴は、治療と予後に関して結論を下すために重要である。異なるがん腫サブタイプは適用される治療上の測定に対して異なって反応するので、このことは有用である。これについて、例えば、乳がんが疑われる場合、頼みの綱は、よりしばしば、分子マーカー、例えばサイトケラチン、エストロゲン受容体、ｈｅｒ２／ｎｅｕ、Ｋｉ６７もしくはｐ５３の免疫組織化学的染色に対してとられる（例えば、非特許文献１；非特許文献２；非特許文献３）。この染色は、乳房生検においてもっとも高頻度に行われるけれども、それはまた、針穿刺（ＦＮＡ，ｆｉｎｅ  ｎｅｅｄｌｅ  ａｓｐｉｒａｔｅｓ）においてますます実施されつつある。また、分子マーカーは、腫瘍が、一次腫瘍か、または転移であるかを決定することに関しても使用される。例えば、罹病一次臓器に特異的であるマーカーの発現は、この同定を容易にする。
【０００３】
近年、変異の結果として変性形態におけるそれらのタンパク質を発現し、そして結果的にがんの生成に役割を演じる多数の遺伝子が同定されている。対応するタンパク質は、両血清中および細胞レベルにおいて診断マーカーとして検出される。これらのタンパク質は、細胞における生理学的調節過程、例えば成長制御（増殖遺伝子。例えばＫｉ６７およびｍｃｍ−５；がん遺伝子および腫瘍サプレッサー遺伝子、例えばｐ１６，ＥＧＦレセプター、ｈｅｒ２／ｎｅｕおよびｍｄｍ−２）、アポトーシス（自然細胞死、例えばｐ５３およびｂｃｌ−２）、ＤＮＡ修復（ｍｓｈ−１）および細胞接着（Ｅ−カドヘリン、β−カテニンおよびＡＰＣ）に関与している。これらのタンパク質に対する特異抗体を使用する免疫組織化学的および免疫細胞化学的検出方法（非特許文献４）は、例えば、検出のために適当である。
【０００４】
単一のマーカーはある種の健全な細胞においても存在するので、それは病理学的に変性した細胞を認識することに関して十分な特異性を達成しないことが度々例証された。これは、これらのマーカーが健全な細胞において生理学的調節過程に関与しているタンパク質であり、それが、病理学的に変性した細胞の指標である過剰に高い発現において単に存在するという事実に基づいている。非特許文献５は、頸部塗抹（ｎ＝５８）において試験された病巣／腫瘍２８例を検出したが、２８例の正常な塗抹標本のうち２例を誤った陽性型に染色するＤＮＡ複製マーカーｍｃｍ−５を記述している。非特許文献６は、マーカーｐ１６が、１５例の正常な頸部生検のうち３例を非特異的に染色することを報告している。ＨＰＶは、頸部のすべての病巣および腫瘍の事実上１００％において検出できるけれども、それはまた、多くの正常な頸部上皮においても検出できる；すなわち、ＨＰＶを検出する試験は高度の感受性を示すけれども、それは低い度合いの特異性しか示さない（例えば、非特許文献７）。
【０００５】
病理学において、生物サンプルにおける数種のマーカーを検出することに関心がますます高まっている。一方では、今では、より多くの情報が病理学的に変性した細胞もしくは組織領域を検出し、そして特徴付けるために利用可能であり；他方では、個々のマーカーの非特異的染色が何であるかを認識し、その結果不正確な結論を回避することが可能である。慣例的には、身体サンプルの得られた生検標本の連続切片または複数標本（例えば固定剤中の頸部塗抹標本）が、この目的のために調製され、各場合、特定のマーカーに関して染色される。この方法はいくつかの欠点、通常は限定される患者のサンプル材料および染色試薬の高い消費、必要な大量の時間および高コスト、そしてまた組織サンプルの細胞または特定領域において明瞭に２種以上のマーカーの場所を同時に示すことが不可能である：という欠点を有する。生物サンプルにおける２種以上の異なる生物学的マーカーの同時検出は、文献（非特許文献８）には既に記述されているけれども、その方法は、いかなる程度にも標準化されなかったので、それは、日常的診断においてはまだ使用されなかった。非特許文献９は、頸部病巣から採取された生検標本におけるｐ５３およびＫｉ６７の２重染色を使用し、そしてＨＰＶ陽性およびＨＰＶ陰性の病巣由来の基底および副基底細胞において、ある場合は１つの細胞において両マーカーを検出できた。しかしながら、同時に、著者らは、このサンプルにおける腫瘍細胞の存在に関して確実な結論を引き出すべく、その結果を組み合わせることによって情報を使用していない。腫瘍領域の検出を自動化する点で染色情報を使用するいかなる試みも完全に欠如している。さらにまた、この１つの組み合わせとは別に、腫瘍領域の同定および特徴付けを容易にすることができるいかなる他のマーカーの組み合わせについての記述もない。
【０００６】
肺の腫瘍生検標本において遂行されたさらなる二重染色が、非特許文献１０および非特許文献１１により記述されている。これらの引用文献に記述されている抗体組み合わせは、本発明が基づく組み合わせとは完全に異なる。さらにまた、両上記出版物は、診断をするために、生検の染色を検査する病理学者をさらに必要とする。このアプローチは、方法を自動化することと概念的に合致せず、したがって、全く考慮に入れられない。
【０００７】
非特許文献１２は、乳房から得られた針穿刺材料（ＦＮＡ，ｆｉｎｅ  ｎｅｅｄｌｅ  ａｓｐｉｒａｔｅｓ）における種々の腫瘍関連マーカー（ＤＮＡ含量、Ｇアクチンおよびｐ５３）の多重染色を記述している。彼らは、数種のマーカーの使用が個々のマーカーを観察する場合に達成されるよりも高い臨床的特異性を達成し、結果として、乳がんの早期認識において重要な役割を演じることができるという効果に対して彼らの結果を説明している。著者らによって引用された多重染色は、乳房から得られた針穿刺材料に限定され、そして種々の材料の性質のために、他の生物材料（すなわち生検および頸部塗抹）に応用することができない。さらにまた、マーカーの組み合わせは、本発明において記述される組み合わせとは異なる。腫瘍領域の検出を自動化することに関して染色情報を使用する試みはない。
【０００８】
現在の臨床的腫瘍診断におけるさらなる改良は、サンプルの調製および染色の自動化ならびに診断の確立を含む自動画像解析の両方からなる。時間の節約および必要なより少ない職員に加えて、このアプローチはまた、より客観的で、結果的に、より一様な診断をもたらす。蛍光によるかまたは発色染料を用いる腫瘍細胞またはそれらの前駆体における生物学的マーカーの染色は、シグナルを定量し、そして結果的に自動方式でそれらを読み取ることを可能にする。染色操作を自動方式で実施させる装置は既に存在している。しかしながら、画像解析は、自動診断を達成するために使用されてない非特許文献１３。もっとも進歩した装置は、形態学的画像情報を使用する頸部塗抹標本における腫瘍細胞とそれらの前駆体の自動検出を伴う装置である非特許文献１４；非特許文献１５。
【０００９】
ＰＡＰＮＥＴシステムを用いる頸部塗抹標本における異常細胞の自動形態学的検出に加えて、非特許文献１６は、さらに、Ｋｉ６７抗体を用いる増殖細胞の免疫組織学的染色を使用している。しかしながら、この１種の分子マーカーの使用は、良性の増殖細胞とがん原性細胞の間のいかなる明瞭な差異も可能にはさせない。しかしながら、これらの著者らは、異常細胞を同定するために少なくとも２種の分子マーカーの同時検出を使用することを全く論じていない。
【００１０】
Ｂｏｏｎらが著者である特許（特許文献１）は、免疫組織化学的マーカーによる染色がサンプル中の増殖（がん原性および非がん原性）細胞の自動検出を容易にする方法、そして半自動方法において、制御している病理学者／細胞学者が、染色された細胞が真にがん原性細胞であるか否かを決定する方法を記述している。しかしながら、異常または腫瘍細胞を自動方式での検出を可能にするいかなる特異抗体の組み合わせについての記述もない。
【００１１】
著者がＭｃＧｌｙｎｎおよびＡｋｋａｐｅｄｄｉである特許文献２は、がん細胞を同定する目的を含む、身体サンプルにおける数種の蛍光標識マーカーを同時検出するための応用および方法を詳細に記述しているが、がん診断におけるいかなる特定の応用も論じていないし、また増強された特異性を保持する適当なマーカーの組み合わせも記述していない。
【００１２】
非特許文献１７が、会社自体の社内サンプル調製に加えて、また不特定の生物学的マーカーを検出する蛍光の使用も含む、頸部塗抹標本をスクリーニングするための新しいシステム（ＩｎＰａｔｈ）を開発しつつあることは知られている。
【００１３】
【特許文献１】米国特許第５５４４６５０号
【特許文献２】米国特許第６００５２５６号
【非特許文献１】Ｌｅｅｋ  ｅｔ  ａｌ．，１９９４，Ｂｒ．Ｊ．Ｃａｎｃｅｒ，６９，１３５−１３９
【非特許文献２】Ｍｏｋｂｅｌ  ｅｔ  ａｌ．，１９９９，Ａｍ．Ｊ．Ｓｕｒｇｅｒｙ１７８，６９−７２
【非特許文献３】Ｒｅｉｎｅｒ  ｅｔ  ａｌ．，Ｃａｎｃｅｒ  Ｒｅｓ．，５０，７０５７−７０６１
【非特許文献４】ｖａｎ  Ｎｏｏｒｄｅｎ，１９８６，Ｉｍｍｕｎｏｃｙｔｏｃｈｅｍｉｓｔｒｙ，Ｍｏｄｅｒｎ  Ｍｅｔｈｏｄｓ  ａｂｄ  Ａｐｐｌｉｃａｔｉｏｎｓ，２ｎｄ  ｅｄｉｔｉｏｎ，Ｗｒｉｇｈｔ，Ｂｒｉｓｔｏｌ，２６−５３
【非特許文献５】Ｗｉｌｌｉａｍｓら（１９９８，ＰＮＡＳ，９５，１４９３２−１４９３７）
【非特許文献６】Ｓａｎｏら（Ｐａｔｈｏｌｏｇｙ  Ｉｎｔｌ．，１９９８，４８，５８０−５８５）
【非特許文献７】Ｃｕｚｉｃｋ，２０００，ＪＡＭＡ，２８３，１０８−１０９
【非特許文献８】ＤＡＫＯ，Ｐｒａｃｔｉｃａｌ  Ｇｕｉｄｅ  ｆｏｒ  Ｉｍｍｕｎｏｅｎｚｙｍａｔｉｃ  Ｄｏｕｂｌｅ  Ｓｔａｉｎｉｎｇ  Ｍｅｔｈｏｄｓ；Ｇｏｍｅｚ  ｅｔ  ａｌ．，Ｅｕｒ．Ｊ．Ｈｉｓｔｏｃｈｅｍ．，１９９７．４１，２５５−２５９
【非特許文献９】Ｔｅｒｈａｖａｕｔａら（Ｃｙｔｏｐａｔｈｏｌｏｇｙ，１９９４，５，２８２−２９３）
【非特許文献１０】Ｋｒａｅｆｔら（Ｃｌｉｎ  Ｃａｎｃｅｒ  Ｒｅｓ．２０００，６，４３４−４４２）
【非特許文献１１】Ｏｓｈｉｋａら（Ｍｏｄ  Ｐａｔｈｌ，１９９８，１１，１０５９−１０６３）
【非特許文献１２】Ｒａｏら（１９９８，Ｃａｎｃｅｒ  Ｅｐｉｄｅｍｉｏｌｏｇｙ，Ｂｉｏｍａｒｋｅｒｓ  ａｎｄ  Ｅｖｏｌｕｔｉｏｎ．７，１０２７−１０３３）
【非特許文献１３】（ＬｅＮｅｅｌ  ｅｔ  ａｌ．，１９９８，Ｃｌｉｎ  Ｃｈｉｍ  Ａｃｔａ，２７８，１８５−１９２）
【非特許文献１４】（Ｓａｗａｙａ  ｅｔ  ａｌ．，１９９９，Ｃｌｉｎｉｃａｌ  Ｏｂｓｔｅｒｉｃｓ  ａｎｄ  Ｇｙｎａｅｃｏｌｏｇｙ，４２，９２２−９２８
【非特許文献１５】Ｓｔｏｌｅｒ，２０００  Ｍｏｄ，Ｐａｔｈｏｌ．，１３，２７５−２８４）
【非特許文献１６】Ｂｏｏｎら（１９９５，Ｄｉａｇｎ．Ｃｙｔｏｐａｔｈｏｌ．，１３，４２３−４２８）
【非特許文献１７】Ａｍｐｅｒｓａｎｄ  Ｍｅｄｉｃａｌ  Ｓｙｓｔｅｍｓ  Ｇｒｏｕｐ（ｗｗｗ．ａｍｐｅｒｓａｎｄｍｅｄｉｃａｌ．ｃｏｍ）
【発明の開示】
【発明が解決しようとする課題】
【００１４】
本発明の目的は、定められたマーカー組み合わせを使用することによって、病理学的に変性した細胞、好ましくはがん細胞およびそれらの前駆体を決定するために使用できる自動化方法を提供することにある。
【課題を解決するための手段】
【００１５】
本発明は、病理学的に変性した細胞、好ましくはがん腫細胞およびそれらの前駆体の検出の特異性が、細胞もしくは組織サンプルにおける少なくとも２種の特定の分子マーカー、すなわち遺伝子発現における疾病関連変化を同時に検出することによって増強され、そしてより特異的な検出およびその上自動化できる検出が、数種のマーカーを検出し、そしてシグナルを組み合わせ、かつ、認定することに基づいて可能にされるという本出願者らの発見に基づく。
【００１６】
本発明は、分子マーカーが、病理学的に変性されていないある種の生物材料において、類似または異なる量においてまた存在するので、個々に検出される場合には、病理学的に変性した細胞もしくは組織を認識することに関して十分な特異性を達成しない分子マーカーに関する。これは、これらのマーカーが、健全な細胞においても同様に生理学的調節過程に関与しているタンパク質であるという事実に基づく。これに加えて、非特異的様式で交差反応する抗体のために、分子マーカーの検出は明瞭にはできず、そして分子マーカーを含有しない生物材料の粒子の染色においても表される。本発明者らは、細胞において、または生物材料の構成領域内で、例えば組織切片の狭い定められた領域内で、少なくとも２種のマーカーを同時に検出することによって、異常な細胞もしくは組織切片を検出する場合に単一マーカーの検出の不十分な特異性を補償して、より高度の特異性を確定できることを観察した。かくして、生物サンプルを診断する場合の数種のマーカーの組み合わせは、情報価値を単一マーカーを使用するよりも一層高くすることができる。
【００１７】
マーカー組み合わせは、例えば、分子マーカー、ｈｅｒ２／ｎｅｕ，ｐ１６，ｐ５３，Ｋｉ６７，ＭＮ，ｍｄｍ−２，ｂｃｌ−２およびＥＧＦレセプターの組み合わせによって示されるように、次の種類：がん遺伝子、腫瘍サプレッサー遺伝子、アポトーシス遺伝子、増殖遺伝子、修復遺伝子およびウイルス遺伝子の少なくとも１種に属する遺伝子の変化した発現の可視化を含む。好ましくは、次の組み合わせ、ｈｅｒ２／ｎｅｕとＫｉ６７、ｈｅｒ２／ｎｅｕとｐ５３、ｈｅｒ２／ｎｅｕとｂｃｌ−２、ｈｅｒ２／ｎｅｕとｐ１６、ｂｃｌ−２とＫｉ６７、ｂｃｌ−２とｐ５３、ｂｃｌ−２とｐ１６、ｐ１６とｐ５３、ｐ１６とＫｉ６７が意図される。
【００１８】
本発明によれば、本出願者らの発見は、疾病関連細胞もしくは組織切片の早期診断の方法のために使用され、この方法は、自動方式においてがん腫およびそれらの前駆体、そしてまた適当であれば転移の起源を検出する目的による前記分子マーカーの組み合わせの検出を含む。腫瘍細胞の自動化された特異的検出は、次の方法、第１には、これらの２種のシグナルが、細胞または身体サンプルの限られた領域中に存在しなければならず、そして第２には、２種のマーカーによって与えられるシグナルが、各場合、個々に定められた強度または閾値を超えるかまたは以下でなければならない：方法によって達成することができる。これらの２つの基準が適用される場合、例えば、設定閾値を超えるマーカーを発現しているか、または各場合限られたシグナル強度以下である両マーカーを示す健全な細胞を除外することが可能である。
【００１９】
表現「分子マーカー」は、細胞における分子変化、特に遺伝子発現における変化を含み、これらは、変性されているか、または病的である細胞構成と関連して観察された。分子マーカーを検出する方法は、好ましくはタンパク質レベルにおいて、マーカーの量または質を決定するいかなる方法も含む。
【００２０】
後に、発色および／または蛍光検出を伴う細胞化学的または組織化学的同定を可能にする抗体または他の特異的結合タンパク質（例えば、抗クリン（ａｎｔｉ−ｃｕｌｌｉｎ））が、タンパク質レベルにおける検出のために適する。
【００２１】
表現「少なくとも２種の特異的分子マーカーの同時検出」は、遺伝子発現が互いに関連して観察できるように、身体サンプル、特に同様の身体サンプルの単一標本において、少なくとも２種の遺伝子の発現を可視化する方法を含む。これに関連して、それは、少なくとも２種のシグナルの存在下のみならず、また１種以上のさらなるシグナルの存在または不在下にあり、可能な組み合わせの情報価値をもつ。腫瘍特異性に加えて、このさらなる情報は、転移の起源に関する結論を含む。これに関連して、検出されたマーカーが比較的空間を空けて接近して、特に１個の細胞またはサンプルの狭く定められた領域内で、例えば組織切片内で検出されることが重要である。
【００２２】
表現「シグナルを組み合わせることおよび信認すること」は、身体サンプルにおける少なくとも２種のマーカーの連結を含む。その上、健全細胞は、マーカー強度に関する閾値を定めることによって罹病細胞から特異的に区別できる。
【００２３】
表現「細胞もしくは組織サンプル」は、身体サンプル、例えば塗抹標本、唾液、臓器穿刺標本、生検標本、分泌物、脳脊髄液、胆汁、血液、リンパ液、尿および糞、または臓器、例えば乳房、肺、腸、皮膚、頸部、前立腺および胃から除去された組織から単離される細胞を含む。
【００２４】
表現「病理学的に変性された細胞」は、がん腫およびそれらの前駆体、好ましくは呼吸器、生殖器および胃腸管のがん腫、そしてまた、皮膚、乳房および血管系の腫瘍、特に乳がんおよび頸部がん腫およびその前駆体、例えば頸部上皮内新生物（ＣＩＮ  Ｉ−ＩＩＩ）およびまたインサイチューのがん腫を含む。
【００２５】
表現「自動検出」は、完全に、または構成段階においてのみ、人の手作業を置換し、そして特に、検出方法の段階において、または続く文書もしくは情報処理において使用される方法を含む。これは、サンプル調製、サンプル染色、サンプル解析および情報処理の段階を含む。これに関連して、検出は、吸光測定、反射測定もしくは蛍光測定の手段によって実施できる。蛍光測定の方法は、蛍光顕微鏡もしくはＦＡＣＳ（流動細胞計）解析のようなすべての方法を含む。
【００２６】
表現「診断専門システム」は、画像情報を提案される診断に変換するコンピューターソフトウエアを含む。ソフトウエア中に存在するパラメーターか、またはソフトウエアがアクセスできる外部情報に基づいて、この専門システムは、利用しうる完全な情報またはその一部を、提案される診断に統合することができる。さらなるパラメーターが、提案される診断を実証するために必要であれば、ソフトウエアは、これらのパラメーターが収集されるか、あるいはレフレックス（ｒｅｆｌｅｘ）アルゴリズムの意味における適当な解析装置と結合させることによってこれを自動的に要求することを示唆できる。
【００２７】
表現「増幅システム」は、分子マーカーを特異的に検出するために、より好ましいシグナル／ノイズ比率を生み出すように、シグナル強度を増強する生化学的方法を含む。これは、正常には、さらなる抗体および／または酵素的検出反応を用いることによって達成される。
【００２８】
本発明は、病理学的に変性した細胞、例えばがん腫およびそれらの前駆体を特異的に検出し、そして転移の起源を決定するために使用することができる。また、本発明は、本発明による方法を実施するためのキットであって、次の成分：
（ａ）少なくとも２種の分子マーカーを検出するための試薬、すなわちｈｅｒ２／ｎｅｕ，ｐ１６，ｐ５３，Ｋｉ６７，ＭＮ，ｍｄｍ−２，ｂｃｌ−２およびＥＧＦレセプターに対する標識および／または非標識抗体、
（ｂ）慣用の補助剤、例えばバッファー、担体（ｓｕｐｐｏｒｔｓ）、シグナル増幅物質、染色試薬など、
（ｃ）サンプルを調製および染色し、そしてシグナルを検出するための自動化しうる方法、
（ｄ）対照反応として細胞系を染色するための方法および試薬、
を含有するキットに関する。
【００２９】
上記説明は、キットの個々の成分に適合する。また、キットの個々の成分、または数種の成分は改変形態で使用されてもよい。
【００３０】
本発明は、病理学的に変性した細胞、例えばがん腫およびそれらの前駆体を、手動によるかまたは部分的もしくは完全に自動化される方法において検出するために使用することができる。本発明により達成され、そして少なくとも２種の分子マーカーを同時に検出することから得られる結果は、いかなる主観的検査も受けず、反対に、生物材料における病理学的変化の客観的な自動検出へと伝えられるので、形態学的発見は、また「レフレックス試験（ｒｅｆｌｅｘ  ｔｅｓｔｉｎｇ）」の形式において客観的パラメーターによって補足することができる。方法は急速に、そして自動方式において実施することができるので、それらは、費用および人員に関して経済的である大規模なスクリーニング方法に適している。これに加えて、２種以上のマーカーの組み合わせ染色は、病理学的変化を区別して診断し、そして転移の起源を決定することを可能にする。
【００３１】
その結果、本発明は、疾病の近代的診断にとっての重要な貢献を構成する。
【実施例】
【００３２】
上記本発明を実施するための方法は実施例によって以下に示される。これらの実施例は、本場合には、Ｖｅｎｔａｎａ自動ステナー（ｓｔａｉｎｅｒ）ＮＥＸＥＳを使用する結果として存在する正確な反応条件を指定する。これは、種々のパラメーター、例えばインキュベーションおよび洗浄温度、インキュベーションおよび洗浄時間、ならびに抗体および他の試薬の濃度は変えることができること、すなわち他の機器に合致できるという事実をいかなる点においても変えない。同様に、本明細書に記述されている増幅システムは、それぞれ抗体もしくはＤＮＡプローブに応じて、省略されるかまたは新しいシステムが付加されてもよい。
【００３３】
特異的抗体を使用し、そしてＶｅｎｔａｎａ製Ｎｅｘｅｓ自動イムノステナーを用いて生検標本における２種の分子マーカーを同時に検出するための実験の記述
厚さ４−５μｍのパラフィン切片（Ｌｅｉｃａ製ＲＭ２１５５ミクロトーム）が、固定され、パラフィン中に包埋された生検組織から最初に調製され、そして切片は３７℃で一夜乾燥される。続く染色に伴い切片の浮いて離れるのを避けるために、シランでコーティングされた顕微鏡スライドが使用される。染色では、パラフィン切片が、２ｘ１５分間キシロール中で脱パラフィンされ、続いて、連続的に低下する濃度のアルコール（１００％，９０％，７０％，各場合２ｘ５分間）を通過させて、キシロールを再度洗浄する。
【００３４】
ホルマリンによる固定は、抗原をマスクするアルデヒド架橋の形成をもたらし、結果的にそれらを抗体に対して無反応にする。その結果、さらなる前処理が必要である。抗原は、１０ｍＭクエン酸バッファー、ｐＨ６中でマイクロ波の６００Ｗにおいて３０分間脱マスクされる。
【００３５】
マイクロ波前処理後、次に、Ｎｅｘｅｓ（Ｖｅｎｔａｎａ  Ｍｅｄｉｃａｌ  Ｓｙｓｔｅｍｓ）自動イムノステナーにおける免疫組織化学的染色が続く。１次抗体および血清を除くすべての試薬は、Ｖｅｎｔａｎａ  Ｍｅｄｉｃａｌ  Ｓｙｓｔｅｍｓから、個々に、またはキットの形で得られる。すべてのインキュベーションは３７℃で実施される。自動ステナーは、下記の試薬により各インキュベーション後に自動的に洗浄する。
【００３６】
まず第１に、内因性ペルオキシダーゼが、キットに含まれている「インヒビター」により４分間不活性化される。次いで、すべて可能性のある非特異的結合部位は、１．５％ヤギ血清（Ｖｅｃｔｏｒ製）を用いて１０分間ブロックされる。次いで、切片が、主モノクローナル抗体（Ｏｎｃｏｇｅｎｅ  Ｓｃｉｅｎｃｅ／ＢＡＹＥＲ製のｈｅｒ２／ｎｅｕ（クローン３Ｂ５），Ｖｅｎｔａｎａ抗体希釈バッファー中２．５μｇ／ｍｌ）とともにインキュベートされる。
【００３７】
続いて、より強い染色結果を得るために、増強キットが使用される。このキットは、予め結合された主抗体と反応するウサギ抗マウス免疫グロブリン、および順に、前のウサギ抗マウス免疫グロブリンと結合するマウス抗ウサギ免疫グロブリンからなる。インキュベーション時間は各場合８分である。同様に８分間インキュベートされる次の試薬は、両マウスおよびウサギに対向され、そしてビオチンと共役される「ＭｕｌｔｉＬｉｎｋ」抗体である。この抗体は、ここで、全３種の既にインキュベートされた抗体に結合し、そして主抗体の反応部位におけるビオチン量を大きく増加する。使用される次の試薬は、ストレプトアビジン−ＨＲＰ（Ｈｏｒｓｅ  Ｒａｄｉｓｈ  Ｐｅｒｏｘｉｄａｓｅ）であり、これが８分間添加され、そしてビオチンに結合する。検出は、ペルオキシダーゼの基質としてＤＡＢ（ジアミノベンジジン）およびＨ２Ｏ２を添加することによって実施されるが、この基質は褐色沈殿に転化される。
【００３８】
第２のマーカーの検出は、上記操作に正確に対応し、１．５％ヤギ血清を用いるブロッキング、および第２の特異的主抗体（ｐ５３，Ｏｎｃｏｇｅｎｅ  Ｓｃｉｅｎｃｅ／ＢＡＹＥＲ製クローンＤ０１，Ｖｅｎｔａｎａ抗体希釈バッファー中３０μｇ／ｍｌ）のインキュベーションにより始まる。終了時点で、ストレプトアビジン−ＡＬＰ（アルカリホスファターゼ）共役体がストレプトアビジン−ＨＲＰ共役体の代わりに使用される。このインキュベーション後、内因性アルカリホスファターゼがレバミソール＋ＭｇＣｌ２によりブロックされる。ＡＬＰ基質（Ｆａｓｔ  Ｒｅｄおよびナフトール）がまた同時に添加される。続いて、核がヘマトキシリンにより２分間対比染色され、その後、切片は「藍色剤（ｂｌｕｉｎｇ  ｒｅａｇｅｎｔ）」中で２分間染色される。最後に、顕微鏡スライドは、ＭｏｖｉｏｌＴＭ（Ｈｏｅｃｈｓｔ）により被覆される。
【００３９】
細胞が２種の分子マーカーを同時に検出することによって染色された組織サンプルにおける異常細胞を自動的に検出するための実験の記述
少なくとも２種の分子マーカーが上記方法にしたがって抗体を用いて検出された生検標本は、顕微鏡スライド８枚までの可動クロスステージを備えた蛍光顕微鏡（２０００−３  ｍｕｌｔｉｃｏｎｔｒｏｌ−ｂｏｘおよび「Ｍｏｄｕｌｅ  ＳｔａｇｅＴＭ」ａｎａｌｙＳＩＳドライブソフトウエアをもつＯｌｙｍｐｕｓ  ＡＸ７０）およびＳｏｆｔ  Ｉｍａｇｉｎｇ  Ｓｙｓｔｅｍｓ  ＧｍｂＨ（ＳＩＳ）  ａｎａｌｙＳＩＳ  ３．０ソフトウエアの改訂版を使用して解析されるが、これは、ＳＩＳ「Ｇｒａｂｂｉｔ  Ｄｕａｌ  Ｐｒｏ」パッケージとして、付属モジュール、特にＦＦＴ（＝「Ｆａｓｔ  Ｆｏｕｒｉｅｒ  Ｔｒａｎｓｆｏｒｍａｔｉｏｎ」）モジュール、ＭＩＡ（＝「Ｍｕｌｔｉｐｌｅ  Ｉｍａｇｅ  Ａｌｉｇｎｍｅｎｔ」）モジュールおよびＣモジュールを含有する。高分解能黒白（ＭＶ２  Ｓｌｏｗ  Ｓｃａｎ  Ｃａｍｅｒａ，１２ｂｉｔ，ＳＩＳ製）およびカラー（ＤＸＣ−９５０Ｐ  ３ＣＣＤ  Ｃｈｉｐ，Ｓｏｎｙ製）カメラが画像記録のために使用された。組み合わせにおいて、これらのシステムは、１６−ｂｉｔ  Ｇｒａｕｔｏｎ画像解析ならびに２４−ｂｉｔ画像深度までのＲＧＢおよびＨＩＳ色彩空間におけるカラー画像解析のために適当である。
【００４０】
可動クロスステージ（ａｎａｌｙＳＩＳ  ｍｏｄｕｌｅ  ｓｔａｇｅ）を測定後、顕微鏡スライド８枚までのすべての、論理的ゼロ点に比較した位置が、「オートメーション」メニュー（ａｎａｌｙＳＩＳ  ｍｏｄｕｌｅ  ｇｒａｉｎｓ）において８連続ステージパスを決定することによって記録される。生物サンプルの全域は、サイズ１５８．７μｍｘ１１９．６μｍをもつ個々の領域に総合的に再分割されるが、これは、顕微鏡単位を用いて倍率４０倍の写真の画像分野に対応する。各生物サンプルは、１ステージパスを通して解析される。各ステージパスは、それぞれの顕微鏡スライドの位置の生物サンプルの各領域が、１ステージパス位置によって、隣接しているが重複しない方式で検出されるように、一連のステージパス位置として、ゆっくり流れる方式で水平に描写される。対応する行数および列数が定められる。「オートメーション」メニューにおける８ステージパスの添加が、自動方式で解析されるべき作動ステージ上にすべての標本を置くことを可能にする。
【００４１】
各ステージパス位置が、透過光において写真撮影され、そして画像情報が、「カラーマッチング」下で「ｏｐｅｒ」メニューにおいて「ＲＧＢにマッチ」される。これは、「オートメーション」メニューにおいて行われる続いての「測定」を可能にする。測定では、８種までの異なるカラー混合物についての閾値が、「カラー閾値を設定」し、そして「ｐｉｘｅｌ  ｖａｌｕｅｓ／ｎｅｗ」を用いてｐｉｘｅｌ値を決定することによって「画像」メニューにおいて定められる。「測定」メニューにおける「相解析（ｐｈａｓｅ  ａｎａｌｙｓｉｓ）」によって、それぞれのステージパス位置の個々の写真が、既に定められたカラー閾値を用いて測定され、そして特定のカラー混合物の領域が、Ｅｘｅｌデータファイルにおいて面積として定量的に現わされる。２種のマーカーが同時に検出される場合、検出反応のカラー、すなわちサンプル領域における「褐色」（ＤＡＢ）および「赤色」（ＦａｓｔＲｅｄ）、そしてまたそれらの中間混合物（「赤色−褐色」）が特に関心がもたれる。その結果、Ｅｘｅｌ表が、特定のカラー混合物についての面積を表す各列とともに、各個々のステージパス（＝サンプル）について得られる。Ｅｘｅｌ表の行は、単一サンプル領域の個々の写真（＝ステージパス位置）に対応する。
【００４２】
ｍａｃｒｏを使用して、行（＝ステージパス位置）における個々の値（＝カラー混合物の測定面積）が、各場合、それぞれの列またはカラー混合物について前決定された一定の閾値と比較される。次いで、行における１個以上の個々の値が、それぞれの列について一定のカラー混合物閾値を越えていれば、サンプルが罹病しているとして特徴付けられるように、ｍａｃｒｏは個々の値を信認する。
【００４３】
対応する画像位置が保存でき、そしてそれらは続く肉眼的鑑定に利用することができる。「オートメーション」メニューにおける「プロトコール」記録カードを用いて、それぞれのステージパス位置に関する画像および他のデータを自動的に保存することができる。
【００４４】
これらの段階は手動で行われてもよいが、また、それらは、「記録マクロス（ｒｅｃｏｒｄ  ｍａｃｒｏｓ）」下で「ｅｘｔｒａｓ」メニューにおいて生成されるマクロスによって自動方式で実施することもできる。最後に、面積値（＝分子マーカーによる染色の結果として正確に定められた２次カラーを表す生物サンプルにおける面積）の形式における定量的検査が、特定のカラー混合物について得られる。このようにして、生物サンプルについての診断上の結論が、信認されたカラー混合物を定量的に解析することによって達成される。
【００４５】
本発明の特徴および態様は以下のとおりである。
【００４６】
１．  細胞もしくは組織サンプルにおける少なくとも２種のマーカーが同時に検出され、そしてシグナル強度が組み合わされ、かつ認定されることを特徴とする、がん細胞およびそれらの前駆体の自動化可能な同定方法。
【００４７】
２．  自動情報処理が、画像情報を提案される診断に統合する診断専門システムに連結されることを特徴とする、第１項記載の方法。
【００４８】
３．  分子マーカーが、単一染色に比較してさらなる情報を提供する少なくとも２種のマーカーを使用する場合、２次カラーまたは空間を空けて接近する個々のカラーによる、組織サンプルの構成領域における発色反応もしくは蛍光シグナルを解析することによって定量的に検出されることを特徴とする、第１〜２項記載の方法。
【００４９】
４．  次のマーカー組み合わせ、：ｈｅｒ２／ｎｅｕとＫｉ６７、ｈｅｒ２／ｎｅｕとｐ５３、ｈｅｒ２／ｎｅｕとｂｃｌ−２、ｈｅｒ２／ｎｅｕとＭＮ、ｈｅｒ２／ｎｅｕとｍｄｍ−２、ｈｅｒ２／ｎｅｕとＥＧＦレセプター、ｂｃｌ−２とＫｉ６７、ｂｃｌ−２とＭＮ、ｂｃｌ−２とｍｄｍ−２、ｂｃｌ−２とＥＧＦレセプター、ｈｅｒ２／ｎｅｕとｂｃｌ−２、ｐ５３とｂｃｌ−２、ｐ５３とＭＮ、ｐ５３とｍｄｍ−２、ｐ５３とＥＧＦレセプター、ｐ１６とｐ５３、ｐ１６とＭＮ、ｐ１６とｍｄｍ−２、ｐ１６とＥＧＦレセプター、ｐ１６とＫｉ６７、ｐ１６とｈｅｒ２／ｎｅｕ、ｐ１６とｂｃｌ−２、ＭＮとｍｄｍ−２、ＭＮとＥＧＦレセプター、ｍｄｍ−２とＥＧＦレセプターが検出されることを特徴とする、第１〜３項記載の方法。
【００５０】
５．  乳腺、肺、頸部、結腸、皮膚および前立腺の腫瘍が検出されることを特徴とする、第１〜４項記載の方法。
【００５１】
６．  方法がレフレックス試験を伴うことを特徴とする、第１〜５項記載の方法。
【００５２】
７．  すべての必要な試薬を含有する第１〜６項記載の方法を実施するためのキット。